【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
被験者（５１）の発散された息からサンプルを収集するように構成された携帯型装置（１０、５０）であって、
前記装置（１０、５０）は、質量分析法（５７）を使用して、更なる分析のための前記サンプルを収集するのに適しており、前記装置（１０、５０）は、
サンプリングユニット（１４、５５）及び前記サンプリングユニット（１４、５５）を保持するように配列されたハウジング（１２、５４）を備えることによって特徴づけられ、
前記サンプリングユニット（１４、５５）は少なくも１つのフィルタ（１３）を有し、当該少なくとも１つのフィルタ（１３）は、前記被験者（５１）からの前記発散された息から、前記少なくとも１つの製剤原料の不揮発性の製剤を収集するのに適しており、および  前記ハウジング（１２、５４）は、前記被験者が前記サンプリングユニット（１４、５５）へと前記ハウジング（１２、５４）内に発散するための少なくとも１つの入口（１２、５３）及び前記発散された息を出すための少なくとも１つの出口（１６、５６）を含むことを特徴とする携帯型装置。
【請求項２】
前記ハウジングの要素（１２、５４）と連通する前記入口（１２、５３）と連結可能である分離可能なマウスピースの要素（１１、５２）を含むことを特徴とする請求項１に記載の装置。
【請求項３】
前記フィルタ（１３）がフィルタ膜（１３）であり、前記フィルタ膜（１３）が繊維から成る少なくとも１つの層を有し、及び／又は
前記フィルタ膜（１３）が合成樹脂材料、天然樹脂材料又は半合成樹脂材料製の繊維から成る少なくとも１つの層を有し及び／又は前記フィルタ膜（１３）が静電フィルタ膜であり、及び／又は
前記フィルタ膜（１３）が不織のポリマー繊維のウェブであることを特徴とする請求項１又は２に記載の装置。
【請求項４】
ポンプを含み、前記ポンプ（１７）が、前記サンプリングユニット（１４、５５）の下流に配されることを特徴とする請求項１乃至３のいずれかに記載の装置。
【請求項５】
前記装置（１０）を介する圧力降下が、２水柱ｃｍより高くなく、及び／又は
前記フィルタ（１３）が、０、２〜０、７μｍのサイズを有する、前記発散された息からの粒子を収集するためのメッシュサイズを有し、及び／又は
２水柱ｃｍ未満の圧力降下が、約０〜９リットル／分の発散流速で前記入口（１３、５３）と出口（１６、５６）の間で生じるように、前記フィルタ（１３）が選択されることを特徴とする請求項１乃至４に記載の装置。
【請求項６】
前記少なくとも１つのフィルタ（１３）が、少なくとも２つの異なる製剤原料の間で
区別するための少なくとも２つのフィルタであることを特徴とする請求項１乃至５のいずれかに記載の装置。
【請求項７】
唾液及び／又は凝縮液を収集するための区画が、前記少なくとも１つの入口（１３、５３）と前記サンプリングユニット（１４、５５）の間に、及び／又は前記サンプリングユニット（１４、５５）と前記少なくとも１つの出口（１６、５６）の後に配列されることを特徴とする請求項１乃至６のいずれかに記載の装置。
【請求項８】
前記発散された息における前記少なくとも１つの製剤原料の前記不揮発性の製剤が、肺膜を介して被験者（５１）の血液から通ることができる物質であり、及び／又は
前記発散された息における前記少なくとも１つの製剤原料の前記不揮発性の製剤が、アンフェタミン、エクスタシー、大麻、ＴＨＣ及び大麻類、オピエイト、ヘロイン、モルヒネ、６−ＡＭ、コカイン、ベンゾジアゼピン、プロポキシフェン、メタドン、ブプレノルフィン、トラマドール、ＬＳＤ、デザイナー／インターネット薬物、カチノン、ＧＨＢ、メプロバメート、Ｚ薬物、トリプタミン又はアナボリックステロイドを含むリストに含まれることを特徴とする請求項１乃至７のいずれかに記載の装置。
【請求項９】
被験者の発散された息からサンプルを携帯用に収集するため、及び前記発散された息における少なくとも１つの製剤原料の存在を検出する又はその定量的な量を測定するための方法（６０）であって、前記方法（６０）は、
少なくとも１つのフィルタを有する携帯型装置内に発散して、前記被験者から前記サンプルを収集する工程、及び質量分析法を使用して、前記少なくとも１つの製剤原料の前記収集された不揮発性の物質のためのサンプルを分析する工程を含むことを特徴とする方法（６０）。
【請求項１０】
前記収集する工程が、前記装置のハウジングにおいて保持されたフィルタを有するサンプリングユニットにおいて、前記被験者から前記発散された息からの前記少なくとも１つの製剤原料の不揮発性の製剤を収集する工程を含み、及び／又は
前記収集工程は、前記被験者が、前記サンプリングユニットへと前記ハウジングの少なくとも１つの入口内に発散し、さらに、前記ハウジングから出すための少なくとも１つの出口へ発散する工程を含むことを特徴とする請求項９に記載の方法。
【請求項１１】
繊維を含む少なくとも１つの層を有するフィルタ膜を前記フィルタとして使用して、前記発散された息における前記不揮発性の製剤を収集する工程、及び／又は
合成樹脂材料、天然樹脂材料又は半合成樹脂材料製の繊維から成る少なくとも１つの層を有する前記フィルタ膜を使用して、前記発散された息における前記不揮発性の製剤を収集する工程、及び／又は
静電フィルタ膜を前記フィルタ膜として使用して、前記発散された息における前記不揮発性の製剤を収集する工程、及び／又は
不織のポリマー繊維のウェブを前記フィルタ膜として使用して、前記発散された息における前記不揮発性の製剤を収集する工程を含むことを特徴とする請求項９乃至１０のいずれかに記載の方法。
【請求項１２】
前記フィルタの下流に配列されるポンプによる吸引を発生させる工程、及び
前記発散された息を前記サンプリングユニットに通すために前記吸引によって前記被験者を援助する工程を含むことを特徴とする請求項１１に記載の方法。
【請求項１３】
前記発散された息の流量が、前記サンプリングユニットに対して２水柱ｃｍより高くない圧力降下を発生させる工程、及び又は
０、２〜０、７μｍのメッシュサイズを有するフィルタによって前記不揮発性の製剤を収集する工程、及び／又は
前記入口と出口の間で生じる２水柱ｃｍ未満の圧力降下を有するフィルタによって前記不揮発性の製剤を収集する工程を含む
ことを特徴とする請求項９至１２のいずれかに記載の方法。
【請求項１４】
前記発散された息から唾液及び／又は凝縮液を収集する工程、及び／又は少なくとも２つのフィルタによる少なくとも２つの異なる製剤原料の間で区別する工程を含むことを特徴とする請求項９乃至１３のいずれかに記載の方法。
【請求項１５】
前記発散された息における前記少なくとも１つの製剤原料の前記不揮発性及び／又は揮発性の製剤が、肺膜を介して被験者の血液から通ることができる物質であり、及び／又は
前記発散された息における少なくとも１つの物質の前記不揮発性の製剤が、アンフェタミン、エクスタシー、大麻、ＴＨＣ及び大麻類、オピエイト、ヘロイン、モルヒネ、６−ＡＭ、コカイン、ベンゾジアゼピン、プロポキシフェン、メタドン、ブプレノルフィン、トラマドール、ＬＳＤ、デザイナー／インターネット薬物、カチノン、ＧＨＢ、メプロバメート、Ｚ薬物、トリプタミン、又はアナボリックステロイドを含むリストに含まれることを特徴とする請求項９乃至１４のいずれかに記載の方法。
【請求項１６】
製剤原料に対して被験者に非侵入性の息テストを行うための、請求項１乃至８のいずれかに記載の装置、又は請求項９乃至１５に記載の方法の使用であって、血液又は尿のサンプリングによって前記製剤原料に対して前記被験者を検査するための、置換としての使用。